(57)【要約】【課題】  排水枝管の末端の位置に応じるように該排水枝管の末端が接続される位置を変更することができ、製造が簡易であって、排水設備の敷設に係る作業の簡易化を図ることができる排水マス及びそれを用いた排水設備を提供する。【解決手段】  排水マス１０は、マス本体１１と枝管接続部１２とを備え、枝管接続部１２は、接続口１６に接続される接続筒１７と、該接続筒１７の先端に設けられて排水枝管ＳＤが接続されるエルボ部１８とを有しており、該接続筒１７に前記接続口１６の開口方向に沿って直線状に伸びる直管部分を設け、該直管部分を、平面視における排水主管ＭＤの管軸Ａｔから前記エルボ部１８先端の開口中心１８ａまでの長さを調節する長さ調節部１７Ａとして用いる。【選択図】      図１
2014237986.tif 000002
【特許請求の範囲】
【請求項１】
建物の基礎に略沿って敷設された屋外の排水主管に、屋内から該建物の基礎を貫通して敷設された排水枝管を合流させるための排水マスであって、
前記排水主管の管軸の伸びる方向と略同じ開口方向の受口が設けられたマス本体と、前記排水枝管が接続される枝管接続部とを備えており、
前記マス本体には接続口が、前記排水主管の管軸の伸びる方向と直交又は交差する開口方向となるように形成されており、
前記枝管接続部は、前記接続口に接続される接続筒と、前記排水枝管を繋げるべく前記接続筒の先端に設けられたエルボ部とを有しており、
前記接続筒には前記接続口の開口方向に沿って直線状に伸びる直管部分を設け、該直管部分を、平面視における前記排水主管の管軸から前記エルボ部先端の開口中心までの長さを調節する長さ調節部として用いる
ことを特徴とする排水マス。
【請求項２】
前記枝管接続部において、前記接続筒と前記エルボ部との間には、該接続筒に対して該エルボ部を回動させる回動機構が設けられているとともに、該エルボ部の回動軸が前記排水主管の管軸と直交するように該回動機構による該エルボ部の回動方向が設定されている
請求項１に記載の排水マス。
【請求項３】
請求項１に記載の排水マスを複数使用して構成される排水設備であって、
複数の排水マスの間を連結管で連結して排水主管を構成しつつ、各排水マスの枝管接続部に排水枝管をそれぞれ接続して構成され、
前記枝管接続部に設けられた長さ調節部を用いることで、平面視における前記排水主管の管軸から前記エルボ部先端の開口中心までの長さを複数の排水マス相互で略等しくしたうえで、
平面視における建物の基礎からマス本体までの距離が略等しくなるように前記複数の排水マスがそれぞれ配置されている
ことを特徴とする排水設備。
【請求項４】
請求項２に記載の排水マスを複数使用して構成される排水設備であって、
複数の排水マスの間を連結管で連結して排水主管を構成しつつ、各排水マスの枝管接続部に排水枝管をそれぞれ接続して構成され、
前記枝管接続部に設けられた長さ調節部を用いることで、平面視における前記排水主管の管軸から前記エルボ部先端の開口中心までの長さを複数の排水マス相互で略等しくしたうえで、
平面視における建物の基礎からマス本体までの距離が略等しくなるように前記複数の排水マスがそれぞれ配置され、
更に前記枝管接続部に設けられた回動機構を用いることで、該枝管接続部のエルボ部が前記排水枝管の末端に位置合わせされている
ことを特徴とする排水設備。
【発明の詳細な説明】
【技術分野】
【０００１】
本発明は、建物の屋内から伸びる排水枝管を、建物の屋外に敷設された排水主管に合流させるための排水マス、及び該排水マスを用いて構成された排水設備に関する。
【背景技術】
【０００２】
従来、家屋等の建物にあっては、排水設備の敷設に排水マスが使用されている。
通常、前記排水マスは、受口が設けられたマス本体を有している。そして、一の排水マスの受口と他の排水マスの受口とを連結管で繋ぐ等のように、複数の排水マス相互を管材で繋ぎ合わせることにより、排水主管が建物の屋外で該建物の基礎に沿うように敷設される。
更に前記排水マスには、分岐管が前記マス本体から分岐して設けられている。該分岐管は、その先端の開口が枝管接続部である枝管受口とされる。そして、建物の屋内から該建物の基礎を介して屋外へと伸びる排水枝管がエルボや管材等の継手を介して該枝管受口に接続されることにより、前記排水マスにおいて該排水枝管が前記排水主管に合流される。
従前の排水マスは、前記排水枝管を接続するための枝管受口が固定された構成となっているが、このような構成の場合、各設置箇所の状況や各排水枝管の接続角度に応じることが出来るように多数種の排水マスを用意したうえでそれぞれを使い分けしなければならない。また配管工事においても、各排水主管や各排水枝管の敷設状況や枝管受口の向きに応じることが出来るように、多数種の継手を用意したうえで使い分けなければならない。そして、斯様な多数種の排水マスの使い分け、多数種の継手の使い分け等が、排水設備の敷設に係る作業の複雑化及び煩雑化を招いている。
そこで、特許文献１〜５に示されるように、排水枝管を接続するための枝管受口の向きを変更可能とすることで、排水設備の敷設に係る作業の簡易化を目的とした排水マスが提供されている。
【先行技術文献】
【特許文献】
【０００３】
【特許文献１】実開平６−１８７９１号公報
【特許文献２】特開平６−１２９００１号公報
【特許文献３】特開平７−８３３７７号公報
【特許文献４】特開平１０−２６６３２３号公報
【特許文献５】特開平１０−３０７７０号公報
【発明の概要】
【発明が解決しようとする課題】
【０００４】
ところが、上記従来構成の排水マスにあっては、排水枝管を接続する枝管受口の向きは変更可能であるが、平面視における排水マスの枝管受口からエルボまでの長さがそれぞれ排水マス毎に異なるため、場合によってはエルボや排水マスをさらに建物側へ移動させなければ管路を構成することができず、未だ排水設備の敷設に係る作業が難航することが問題になっている。つまり上記従来構成の排水マスは枝管受口に排水枝管を繋ぐ作業において、排水マス毎に枝管接続部である枝管受口から排水枝管の末端までの寸法をそれぞれ測定し、該寸法に合わせながら管材の切断やエルボの選択及び接着等といった繁雑な作業を各排水マスについて一つ一つ行わねばならない。
また上記従来構成の排水マスは、枝管接続部の向きを変更可能とするために該枝管接続部に回動機構等を設けているが、該回動機構等も含めて該排水マス全体を略一体的に成形している。このため、該排水マスを成形するための金型が複雑になる傾向がある。更に排水マスは上記したように各設置箇所の状況や各排水枝管の接続角度に応じることが出来るように多数種を用意しなければならず、製造の繁雑化と製造コストの高騰が問題になっている。
本発明は、このような従来技術に存在する問題点に着目してなされたものである。その目的とするところは、排水枝管の末端の位置に応じるように該排水枝管の末端が接続される位置を変更することができ、製造が簡易であって、排水設備の敷設に係る作業の簡易化を図ることができる排水マス及びそれを用いた排水設備を提供することにある。
【課題を解決するための手段】
【０００５】
上記従来の問題点を解決する手段として、請求項１に記載の排水マスの発明は、建物の基礎に略沿って敷設された屋外の排水主管に、屋内から該建物の基礎を貫通して敷設された排水枝管を合流させるための排水マスであって、前記排水主管の管軸の伸びる方向と略同じ開口方向の受口が設けられたマス本体と、前記排水枝管が接続される枝管接続部とを備えており、前記マス本体には接続口が、前記排水主管の管軸の伸びる方向と直交又は交差する開口方向となるように形成されており、前記枝管接続部は、前記接続口に接続される接続筒と、前記排水枝管を繋げるべく前記接続筒の先端に設けられたエルボ部とを有しており、前記接続筒には前記接続口の開口方向に沿って直線状に伸びる直管部分を設け、該直管部分を、平面視における前記排水主管の管軸から前記エルボ部先端の開口中心までの長さを調節する長さ調節部として用いることを要旨とする。
請求項２に記載の発明は、請求項１に記載の排水マス本体の発明において、前記枝管接続部において、前記接続筒と前記エルボ部との間には、該接続筒に対して該エルボ部を回動させる回動機構が設けられているとともに、該エルボ部の回動軸が前記排水主管の管軸と直交するように該回動機構による該エルボ部の回動方向が設定されていることを要旨とする。
請求項３に記載の排水設備の発明は、請求項１に記載の排水マスを複数使用して構成される排水設備であって、複数の排水マス本体の間を連結管で連結して排水主管を構成しつつ、各排水マス本体の枝管接続部に排水枝管をそれぞれ接続して構成され、前記枝管接続部に設けられた長さ調節部を用いることで、平面視における前記排水主管の管軸から前記エルボ部先端の開口中心までの長さを複数の排水マス相互で略等しくしたうえで、平面視における建物の基礎からマス本体までの距離が略等しくなるように前記複数の排水マスがそれぞれ配置されていることを要旨とする。
請求項４に記載の排水設備の発明は、請求項２に記載の排水マスを複数使用して構成される排水設備であって、複数の排水マスの間を連結管で連結して排水主管を構成しつつ、各排水マスの枝管接続部に排水枝管をそれぞれ接続して構成され、前記枝管接続部に設けられた長さ調節部を用いることで、平面視における前記排水主管の管軸から前記エルボ部先端の開口中心までの長さを複数の排水マス相互で略等しくしたうえで、平面視における建物の基礎からマス本体までの距離が略等しくなるように前記複数の排水マスがそれぞれ配置され、更に前記枝管接続部に設けられた回動機構を用いることで、該枝管接続部のエルボ部が前記排水枝管の末端に位置合わせされていることを要旨とする。
【発明の効果】
【０００６】
〔作用〕
本発明の排水マスにおいて、排水枝管を接続する枝管接続部は、マス本体に形成された接続口に接続される筒状の接続筒と、該接続筒及び前記排水枝管の末端を繋ぐエルボ部とを有している。該枝管接続部の接続筒には、前記マス本体に形成された前記接続口の開口方向に沿って直線状に伸びる直管部分からなる長さ調節部が設けられており、該長さ調節部の端部を切断等することで、前記排水主管の管軸から前記排水枝管の末端の接続位置となる前記エルボ部先端の開口中心までの長さ、つまり該エルボ部の位置を変更することができる。そして、該エルボ部の位置を略自在に変更し、該排水枝管の末端に応じた位置とすることにより、該排水枝管の末端を該エルボ部に繋ぐ作業の簡易なものとすることができる。
更に前記長さ調節部は、前記接続筒の直管部分からなるものであることから、該長さ調節部を切断しても内径が変化したり、前記排水主管の管軸に対する前記エルボ部の平面視における差し出し方向が変わったりすることを抑えることができ、該排水マスによる排水性能の低下を抑制することができる。
加えて、前記枝管接続部は、前記マス本体で使用する金型とは異なる金型を使用し、該マス本体と別々に成形することが可能であるため、該マス本体は多数種としつつも、該枝管接続部として使用する部品については多数種のマス本体で共通化を図ることが可能である。従って、排水枝管を接続できるように排水マスを選ぶ必要が無く、また排水枝管の接続も従前のものに比して遜色がないことから、排水マスの製造の簡易化を図り、製造コストの高騰を抑えることができる。
また前記枝管接続部に前記接続筒に対して前記エルボ部を回動させる回動機構を設けたうえ、該エルボ部の回動軸が前記排水主管の管軸と直交するように該エルボ部の回動方向を設定することにより、前記排水枝管の接続位置となるエルボ部の上下位置を変更することができ、該排水枝管の末端に応じた位置となるように該エルボ部の位置を好適に変更することができる。
本発明の排水設備は、枝管接続部に設けられた長さ調節部を用い、平面視における排水主管の管軸からエルボ部先端の開口中心までの長さを複数の排水マス相互で略等しくしたうえで、平面視における建物の基礎からマス本体までの距離が略等しくなるように前記複数の排水マスをそれぞれ配置することにより、全ての排水マスで建物の基礎からエルボ部先端の開口中心までの距離が統一され、平面視におけるエルボ部の位置を略一列に揃えることができる。その結果、各排水マスについて一つ一つ測量等の繁雑な作業を行う必要がなく、基礎からエルボ部までの長さに応じた管長の管材を用意するのみで事足りるため、排水設備の敷設に係る作業が簡易なものになる。
また枝管接続部に設けられた回動機構を用い、該枝管接続部のエルボ部と排水枝管の末端を位置合わせすることで、該エルボ部への該排水枝管の接続が簡易なものになる。
【０００７】
〔効果〕
本発明では、製造が簡易でありながら、排水枝管の末端の位置に応じるように該排水枝管の末端が接続される位置を変更することができるから、排水設備の敷設に係る作業の簡易化を図ることができる。
【図面の簡単な説明】
【０００８】
【図１】実施形態の排水マスを示す平面図。
【図２】（ａ），（ｂ），（ｃ）はマス本体を示す平面図。
【図３】（ａ），（ｂ）は枝管接続部を示す平面図。
【図４】回動機構を示す側断面図。
【図５】実施形態の排水設備を示す平面図。
【発明を実施するための形態】
【０００９】
本発明の排水マスを具体化した一実施形態を図面に基づき説明する。
図１に示すように、排水マス１０は、建物の基礎Ｆに沿って敷設された屋外の排水主管ＭＤに、屋内から該基礎Ｆを貫通して敷設された排水枝管ＳＤを合流させるために使用するものである。該排水マス１０は、前記排水主管ＭＤを構成するマス本体１１と、前記排水枝管ＳＤを接続するべく該マス本体１１に設けられた枝管接続部１２とを有している。
【００１０】
前記マス本体１１の概略の構成を説明する。該マス本体１１は、両端が排水主管ＭＤの管軸Ａｔの伸びる方向に開口された筒状に形成されている。該マス本体１１の両端部は、中間部に比べて拡径されており、該拡径された両端部の開口の内側が受口１３とされている。該受口１３には、排水マス１０同士を繋ぐ連結管が嵌入接続される。
また前記マス本体１１には、受口１３の他にマス受口１４が設けられており、該マス受口１４を介してマス本体１１の内部を清掃したり確認したりすることができるようになっている。
前記マス本体１１には、前記枝管接続部１２を接続するべく接続口１６が形成されている。該接続口１６は、前記排水主管ＭＤの管軸Ａｔの伸びる方向と直交又は交差する開口方向となるように該マス本体１１に形成される。通常は、接続口１６の開口方向が異なるマス本体１１が複数種類用意されており、排水マス１０の設置位置や排水の状態等を考慮して使い分ける。
【００１１】
図２（ａ）〜（ｃ）に、接続口１６の開口方向が異なるマス本体１１を例示する。
図２（ａ）に示す第１のマス本体１１Ａは、該マス本体１１Ａを真っ直ぐな円筒状とし、該マス本体１１Ａの両端開口をそれぞれ受口１３としている。よって前記排水主管ＭＤの管軸Ａｔは該マス本体１１の中心を通るように伸びる。該マス本体１１からは筒状の分岐筒１５が、前記排水主管ＭＤの管軸Ａｔの伸びる方向と４５度の角度をなして伸びるように形成されている。そして該分岐筒１５の先端開口は、拡径されており、接続口１６とされている。
図２（ｂ）に示す第２のマス本体１１Ｂは、該マス本体１１Ｂを真っ直ぐな円筒状とし、該マス本体１１Ｂの両端開口をそれぞれ受口１３としている。よって前記排水主管ＭＤの管軸Ａｔは該マス本体１１の中心を通るように伸びる。該マス本体１１Ｂからは筒状の分岐筒１５が、前記排水主管ＭＤの管軸Ａｔの伸びる方向と直交して伸びるように形成されている。そして該分岐筒１５の先端開口は、拡径されており、接続口１６とされている。
図２（ｃ）に示す第３のマス本体１１Ｃは、該マス本体１１Ｃを略Ｌ字型の曲管状とし、該マス本体１１Ｃの一端側（図中で右端側）の開口を受口１３としている。よって前記排水主管ＭＤの管軸Ａｔは該受口１３の中心を通るように伸びる。また該マス本体１１Ｃの他端側（図中で左端側）の開口は、その内部に内径を小さくするためのアダプター１６ａが内装されて接続口１６とされ、前記排水主管ＭＤの管軸Ａｔの伸びる方向と直交する開口方向とされている。
なお、図２（ａ）〜（ｃ）中では受口１３よりも接続口１６を小径に例示しているが、本発明はこの例示の形態に限定されるものではなく、受口１３と接続口１６は、相互に同じ径としてもよく、相互に異なる径としてもよい。また排水主管ＭＤと排水枝管ＳＤについても、本実施形態では排水主管ＭＤを大径に排水枝管ＳＤを小径に例示しているが、本発明はこの例示の形態に限定されるものではなく、排水主管ＭＤと排水枝管ＳＤを同じ径としてもよい。従って、図２（ｃ）に示す第３のマス本体１１Ｃにおいては、排水主管ＭＤと排水枝管ＳＤを同じ径とした場合、アダプター１６ａが省略されて該マス本体１１Ｃの他端側の開口をそのまま接続口１６とする。
なおまた、前記接続口１６は、前記マス本体１１Ａ，１１Ｂに例示したように必ずしも分岐筒１５を設けて形成することに限らず、マス本体の管壁に例えばホルソー等の道具を用いて穴を形成し、該穴を接続口１６としてもよい。また前記分岐筒１５の形成についても、マス本体の成形に際して金型を用いて該分岐筒をマス本体と一体的に形成してもよく、あるいはホルソー等の道具を用いてマス本体の管壁に穴を形成し、該穴に被せるように支管等の管材を接合する等して該分岐筒をマス本体と別体的に形成してもよい。
【００１２】
前記枝管接続部１２の概略の構成を説明する。該枝管接続部１２は、上記接続口１６に接続される筒状の接続筒１７と、該接続筒１７の先端に設けられたエルボ部１８とを有している。そして該エルボ部１８には、前記排水枝管ＳＤが直接的に、あるいはエルボ等を介して間接的に繋げられる。該枝管接続部１２は、前記接続口１６の基端を前記マス本体１１の接続口１６に嵌入し、接着等することにより、該マス本体１１とともに前記排水マス１０を構成する。
前記エルボ部１８には、基端開口と先端開口の開口方向が９０度を為すもの、６０度を為すもの、４５度を為すもの、３０度を為すもの等、種々のものが使用可能である。中でも基端開口と先端開口の開口方向が９０度を為すものとしたエルボ部１８は、後述する回動機構２０によって該エルボ部１８を回動させても、該エルボ部１８の先端開口は、該エルボ部１８の回動軸Ａｒに対して常に直交する方向を向くため、前記排水枝管ＳＤを接続しやすいという利点を有する。
前記枝管接続部１２にあっては、前記接続筒１７の基端部を切除する等して該接続筒１７を所定の長さに調節することにより、前記マス本体１１から前記エルボ部１８までの長さ、具体的には前記排水主管ＭＤの管軸Ａｔから該エルボ部１８の先端の開口中心１８ａまでの長さを変更し、該エルボ部１８を所望の位置に変更調節することが可能である（図１参照）。つまり、該枝管接続部１２によれば、前記基礎Ｆから伸びる前記排水枝管ＳＤの端部の位置に応じ、該エルボ部１８を所望の位置に配置することができる。
通常、前記接続筒１７は、前記マス本体１１に形成された前記接続口１６の開口方向に応じたものが複数種類用意されており、使用するマス本体１１に応じて使い分ける。
【００１３】
図３（ａ），（ｂ）に、接続筒１７が異なる枝管接続部１２を例示する。
図３（ａ）に示す枝管接続部１２は、前記第１のマス本体１１Ａに対応したものであり、接続口１６の開口方向が前記排水主管ＭＤの管軸Ａｔの伸びる方向と４５度の角度をなしていることに応じ、接続筒１７は、基端側において、前記排水主管ＭＤの管軸Ａｔの伸びる方向と４５度の角度で直線状に伸びる直管部分からなる長さ調節部１７Ａと、先端部において、該長さ調節部１７Ａが該管軸Ａｔに対して４５度の角度を為すことに応じるように、該長さ調節部１７Ａに対して１３５度の曲げ角になるような曲管部分からなる連繋部１７Ｂとによって構成されている。そして、基端の長さ調節部１７Ａ及び先端の連繋部１７Ｂからなる前記接続筒１７においては、その先端に取り付けられたエルボ部１８は、前記排水主管ＭＤの管軸Ａｔの伸びる方向と直交する方向へ常に差し出されるように構成されている。
前記エルボ部１８の位置調節は、該接続筒１７の長さ調節部１７Ａの基端部を切断等することにより行われる。つまり長さ調節部１７Ａは、直管状を為しているため、切断に際して煩雑な斜め切りする必要が無い。
図３（ｂ）に示す枝管接続部１２は、前記第２及び第３のマス本体１１Ｂ，１１Ｃに対応したものであり、接続筒１７は、直管部分のみによって構成されている。よって、直管部分のみによって構成された該接続筒１７においても、その先端に取り付けられたエルボ部１８は、前記排水主管ＭＤの管軸Ａｔの伸びる方向と直交する方向へ常に差し出されるように構成されている。
【００１４】
図４に示すように、前記枝管接続部１２において、前記接続筒１７と前記エルボ部１８との間には、該接続筒１７に対して該エルボ部１８を回動させる回動機構２０が設けられている。該回動機構２０においては、該接続筒１７の先端の内周面に嵌合凹溝２１が凹設されており、該エルボ部１８の基端の外周面には嵌合凸部２２が凸設されている。そして、該嵌合凹溝２１と該嵌合凸部２２とが相互に嵌合し、かつ該嵌合凸部２２が該嵌合凹溝２１内を摺動することにより、該接続筒１７に対して該エルボ部１８が回動可能となっている。
また前記回動機構２０による前記エルボ部１８の回動方向は、該エルボ部１８の回動軸Ａｒが前記排水主管ＭＤの管軸Ａｔと直交する方向となるように設定されている。これは、該エルボ部１８の回動軸Ａｒが前記排水主管ＭＤの管軸Ａｔと直交する方向でなく交差する方向となっていた場合、該エルボ部１８で前記排水枝管ＳＤを接続する先端の開口が、前記基礎Ｆから突出する該排水枝管ＳＤに対して斜め方向に回転してしまうことになり、却って該排水枝管ＳＤの接続作業が繁雑になるためである。
さらに前記エルボ部１８の基端の外周面上には、水漏れを防止するためのシールリング２３が嵌着されている。加えて、前記接続筒１７の先端面には凸体２４が設けられるとともに、前記エルボ部１８の外周面上で該凸体２４と対応する位置にはストッパ２５が設けられており、該凸体２４に該ストッパ２５が当接することにより、該接続筒１７に対して該エルボ部１８が必要以上に回動することを抑制している。
【００１５】
図５に示すように、排水設備は、複数の排水マス１０を使用して構成される。
該排水設備にあっては、複数の排水マス１０を基礎Ｆに沿って所定間隔おきに配し、それぞれのマス本体１１Ａ，１１Ｂ，１１Ｃの間を、図中に二点鎖線で示した連結管で連結することにより、排水主管ＭＤが基礎Ｆに沿って略平行に伸びるように敷設される。
各排水マス１０にあっては、それぞれの枝管接続部１２において接続筒１７に設けられた長さ調節部を利用することにより、平面視における排水主管ＭＤの管軸Ａｔからエルボ部１８先端の開口中心１８ａまでの長さＬＡが全ての排水マス１０について等しく設定される。すると、排水主管ＭＤは、基礎Ｆに沿って平行に伸びているから、基礎Ｆからエルボ部１８先端の開口中心１８ａまでの長さＬＢが全ての排水マス１０で統一される。よって基礎Ｆからエルボ部１８までの長さの管材を必要数だけ用意し、排水枝管ＳＤの端部とエルボ部１８とを順次接着するのみで、それぞれの排水マス１０毎に寸法を合わせながら接着していく作業を省略することができる。
また該排水設備にあっては、接続筒１７とエルボ部１８との間に回動機構２０が設けられていることから、例えば図１に示すように排水主管ＭＤの管軸Ａｔの伸びる方向で排水枝管ＳＤの端部とエルボ部１８とがずれている場合であっても、排水枝管ＳＤの端部方向を向くように該エルボ部１８を回動させることで、該排水枝管ＳＤの端部と該エルボ部１８とを最短距離で繋ぐことができる。
【産業上の利用可能性】
【００１６】
本発明にあっては、排水枝管の末端の位置に応じるように該排水枝管の末端の接続位置を変更することができ、排水設備の敷設に係る作業の簡易化を図ることができるから、産業上の利用可能性がある。
【符号の説明】
【００１７】
１０    排水マス
１１    マス本体
１２    枝管接続部
１３    受口
１４    マス受口
１５    分岐筒
１６    接続口
１６ａ  アダプター
１７    接続筒
１７Ａ  長さ調節部
１７Ｂ  連繋部
１８    エルボ部
１８ａ  開口中心
Ａｔ    管軸
Ａｒ    回動軸
Ｆ      基礎
ＭＤ    排水主管
ＳＤ    排水枝管
【図１】
2014237986.tif 000003
【図２】
2014237986.tif 000004
【図３】
2014237986.tif 000005
【図４】
2014237986.tif 000006
【図５】
2014237986.tif 000007